(57)【要約】【課題】蓋に発光体が設けられており、ディスポーザの作動状況を発光表示したり、ディスポーザ内部を蓋に設けた紫外線発光体から紫外線照射したりすることができるディスポーザを提供する。【解決手段】ディスポーザ１は、上部に設けられた取付筒２と、この取付筒２にジョイントパッキン３を介して連なるケース４と、取付筒２の内側の投入口に着脱された蓋５とを有する。蓋５を装着し、ディスポーザ用スイッチをＯＮとすると、１次コイル１１に交流が流れ、２次コイル１２に誘導電流が生じ、可視光ＬＥＤ６及びＵＶＬＥＤ７が点灯する。上面側のＬＥＤ６が点灯することにより、ディスポーザ１に通電中であることが視認される。ＵＶＬＥＤ７が点灯すると、紫外線がディスポーザ１内に照射され、ディスポーザ１内が殺菌されると共に、光触媒作用により活性酸素が発生し、付着有機物が酸化分解される。【選択図】図１
2006289215.tif 000002
【特許請求の範囲】
【請求項１】
生ゴミ投入口に蓋が着脱自在に装着されたディスポーザにおいて、
該蓋に発光体を設けると共に、
該投入口側に設けた１次コイルと、該蓋に設けた２次コイルとによって該発光体に給電するよう構成したことを特徴とするディスポーザ。
【請求項２】
請求項１において、前記発光体は、蓋の下面側に設けられ、ディスポーザ内に向けて紫外線を照射する紫外線発光体であることを特徴とするディスポーザ。
【請求項３】
請求項１又は２において、前記発光体は、蓋の上面側に設けられた可視光の発光体であることを特徴とするディスポーザ。
【請求項４】
請求項１ないし３のいずれか１項において、該投入口の一部に１次コイルが設けられ、蓋の一部に、該１次コイルに対峙可能な２次コイルが設けられていることを特徴とするディスポーザ。
【発明の詳細な説明】
【技術分野】
【０００１】
本発明はシンクに取り付けられ、生ゴミを解砕又は脱水するディスポーザ（生ゴミ処理機）に関する。
【背景技術】
【０００２】
上部の投入口から内部に投入された生ゴミを細かく解砕して排水管へ流すようにしたディスポーザは、インペラをモータで回転させ、ケース内面とインペラとの間で生ゴミを摩砕したり、あるいはインペラの遠心力によって生ゴミをケース内面に叩き付けたりすることによって生ゴミを解砕するようにしている。
【０００３】
このディスポーザは、水で濡れることが多く、しかも調理屑や食用油などの有機物と接することから、ヌメリ等の汚れが付き易い。このヌメリ等の発生防止のために、投入口に装着された蓋や、ディスポーザ内部に向けて紫外線を照射するように紫外線ＬＥＤを設けることが特開２００１−１１２８５５号の図１に記載されている。
【０００４】
特開平１１−７６８５２号の００３０段落には、ディスポーザの内面に酸化チタン等の光触媒の被膜を設け、カビ、ヌメリ、悪臭発生を防止することが記載されている。
【特許文献１】特開２００１−１１２８５５号
【特許文献２】特開平１１−７６８５２号
【発明の開示】
【発明が解決しようとする課題】
【０００５】
本発明は、蓋に発光体が設けられており、ディスポーザの作動状況を発光表示したり、ディスポーザ内部を蓋に設けた紫外線発光体から紫外線照射したりすることができるディスポーザを提供することを目的とする。
【課題を解決するための手段】
【０００６】
請求項１のディスポーザは、生ゴミ投入口に蓋が着脱自在に装着されたディスポーザにおいて、該蓋に発光体を設けると共に、該投入口側に設けた１次コイルと、該蓋に設けた２次コイルとによって該発光体に給電するよう構成したことを特徴とするものである。
【０００７】
請求項２のディスポーザは、請求項１において、前記発光体は、蓋の下面側に設けられ、ディスポーザ内に向けて紫外線を照射する紫外線発光体であることを特徴とするものである。
【０００８】
請求項３のディスポーザは、請求項１又は２において、前記発光体は、蓋の上面側に設けられた可視光の発光体であることを特徴とするものである。
【０００９】
請求項４のディスポーザは、請求項１ないし３のいずれか１項において、該投入口の一部に１次コイルが設けられ、蓋の一部に、該１次コイルに対峙可能な２次コイルが設けられていることを特徴とするものである。
【発明の効果】
【００１０】
本発明のディスポーザにあっては、蓋に発光体が設けられており、投入口側の１次コイルと蓋の２次コイルとの電磁誘導によって発光体に給電して発光させることができる。
【００１１】
従って、請求項２のように紫外線発光体を蓋の下面側に設け、ディスポーザ内部に紫外線を照射することが可能となる。
【００１２】
また、請求項３のように、蓋の上面側に可視光の発光体を設け、例えばディスポーザに通電されていることを発光表示したりすることができる。
【００１３】
請求項４のように、１次コイル及び２次コイルを局所的に設けた場合には、蓋を投入口に装着し、且つ１次コイルと２次コイルとが対峙する場合のみ発光体を発光させ、１次コイルと２次コイルとが対峙しないときには発光体を発光させないようにすることができる。
【発明を実施するための最良の形態】
【００１４】
以下、図面を参照して実施の形態について説明する。図１は実施の形態に係るディスポーザの上方からの断面斜視図、図２は図１のディスポーザの下方からの断面斜視図である。
【００１５】
このディスポーザ１は、上部に設けられた取付筒２と、この取付筒２にジョイントパッキン３を介して連なるケース４と、取付筒２の内側の投入口に着脱された蓋５とを有する。
【００１６】
蓋５の上縁には、外向きにフランジ部５ａが設けられ、該フランジ部５ａが取付筒２の内孔縁部に係止される。蓋５の上面には、直径方向に延在する土手状の摘み部５ｂが設けられており、この摘み部５ｂの両側が凹所５ｃとなっている。この凹所５ｃの底面には、水をディスポーザ１内に流し落とすための孔５ｄが設けられている。ディスポーザ１内には、図示を省略したインペラ及びその回転装置が設置されている。
【００１７】
この実施の形態では、この蓋５の上面に可視光発光用ＬＥＤ６が複数個設けられ、下面に紫外線発光用ＵＶＬＥＤ７が複数個設けられている。ＬＥＤ６は摘み部５ｂの上面に複数個、間隔をおいて設けられているが、該ＬＥＤ６の配置位置及び個数はこれに限定されない。
【００１８】
取付筒２には、該取付筒２を周回するように１次コイル１１が設けられている。蓋５には、外周部に沿って該蓋５を周回するように、且つ該蓋５が投入口に装着された状態で１次コイル１１に対峙する高さに２次コイル１２が設けられている。図示は省略するが、蓋５には、この２次コイル１２からの電流をＬＥＤ６に導くための配線が設けられている。また、蓋５の下面と、ジョイントパッキン３及びケース４の内面には、それぞれ光触媒の被膜が設けられている。
【００１９】
このディスポーザ１によって調理屑等の生ゴミを細かく切断するには、蓋５を開け、投入口から生ゴミをディスポーザ１内に投入した後、蓋５を装着し、ディスポーザ用スイッチ（図示略）をＯＮ操作する。また、シンクに設けられた水栓を開栓し、ディスポーザ１内に孔５ｃを介して水を流し込む。これにより、該ディスポーザ１内で細かく切断された生ゴミは排水管へ排出される。
【００２０】
この実施の形態では、上記の蓋５を装着し、ディスポーザ用スイッチをＯＮとすると、１次コイル１１に交流が流れ、２次コイル１２に誘導電流が生じ、可視光ＬＥＤ６及びＵＶＬＥＤ７が点灯する。上面側のＬＥＤ６が点灯することにより、ディスポーザ１に通電中であることが視認される。また、ＵＶＬＥＤ７が点灯すると、紫外線がディスポーザ１内に照射され、ディスポーザ１内が殺菌されると共に、光触媒作用により活性酸素が発生し、付着有機物が酸化分解される。この結果、蓋５の下面やジョイントパッキン３及びケース４の内面にヌメリ等の汚れが付着することが防止される。
【００２１】
図３は別の実施の形態に係るディスポーザの上方からの断面斜視図である。
【００２２】
この実施の形態では、取付筒２の周方向の１箇所に１次コイル１３が設けられており、蓋５の側周面の１箇所に２次コイル（図示略）が設けられている。これらの１次コイル１３と２次コイルとが対峙するように蓋５を投入口に装着したときだけＬＥＤ６，７が点灯可能である。従って、例えば紫外線照射が不要であるときには１次コイル１３及び２次コイルが対峙しないように蓋５の向きを選定することにより、ＵＶＬＥＤ７を消灯状態とすることができる。ＵＶＬＥＤ７が消灯していることは、可視光ＬＥＤ６が消灯してることから視覚的に認識することができる。
【００２３】
図４は、ディスポーザからの排水が導入される厨芥処理装置の斜視図である。この厨芥処理装置３０は、透明な外装箱３１と、該外装箱３１内に設けられた固液分離部３２及び乾燥部３３とを有する。
【００２４】
固液分離部３２へは、前記ディスポーザからの排水が排水管３４を介して導入される。スクリーンコンベヤ３５によってこの排水中の固形分が引き上げられ、槽３６内に投入される。このスクリーンコンベヤ３５及び槽３６には光触媒のコーティングが施されている。自然光が外装箱３１を通って照射されることにより、紫外線殺菌と光触媒作用が生じ、殺菌や有機物が分解され、悪臭が軽減される。自然光の代わりに、又は自然光と共に紫外線を照射する紫外線ランプやＵＶＬＥＤ等を設けてもよい。
【００２５】
なお、この実施の形態では、排水管３４は透明であり、この排水管３４の内面にも光触媒のコーティングが施されている。また、排水管３４のうち建物内に配置された部分には、排水管３４に向って紫外線を照射するＵＶＬＥＤなどの紫外線光源が配置されている。このため、排水管３４の内部においても、紫外線殺菌と光触媒作用が生じる。
【図面の簡単な説明】
【００２６】
【図１】実施の形態に係るディスポーザの上方からの断面斜視図である。
【図２】図１のディスポーザの下方からの断面斜視図である。
【図３】別の実施の形態に係るディスポーザの上方からの断面斜視図である。
【図４】ディスポーザからの排水が導入される厨芥処理装置の斜視図である。
【符号の説明】
【００２７】
１  ディスポーザ
２  取付筒
３  ジョイントパッキン
４  ケース
５  蓋
６  可視光ＬＥＤ
７  ＵＶＬＥＤ
１１，１３  １次コイル
１２  ２次コイル
３０  厨芥処理装置
３５  スクリーンコンベヤ
３６  槽
【図１】
2006289215.tif 000003
【図２】
2006289215.tif 000004
【図３】
2006289215.tif 000005
【図４】
2006289215.tif 000006